(57)【要約】【課題】電気製品と同種の機能を備えた携帯端末装置を使用して、電気製品から携帯端末装置への機能の引き継ぎを特別な操作を行うことなく実現できるようにする。【解決手段】携帯電話機１は、電気製品（テレビ受像機）１０と同種の機能（テレビ機能）を備え、電力消費者側で消費している電力量、電力事業者側が供給している電力量のいずれかの電力量が所定の閾値を越えた場合に、テレビ受像機１０に対してその電力使用を抑制する電力抑制信号（電源オフ信号）を送信すると共に、テレビ受像機１０と同種の機能（テレビ機能）を起動する。【選択図】  図１
2013058822.tif 000002
【特許請求の範囲】
【請求項１】
電気製品と同種の機能を備えた携帯端末装置であって、
電力消費者側で消費している電力量、電力事業者側が供給している電力量のうち、少なくともそのいずれかの電力量を取得する取得手段と、
前記取得手段により取得した電力量が所定の閾値を越えたか否かを判別する判別手段と、
前記判別手段により電力量が所定の閾値を越えたと判別された場合に、前記電気製品に対してその電力使用を抑制する電力抑制信号を送信するほか、前記電気機器と同種の機能を起動する制御を行う制御手段と、
を具備したことを特徴とする携帯端末装置。
【請求項２】
前記判別手段により電力量が所定の閾値を越えたと判別された場合に、前記電気製品が現在実行中の動作に関する情報を受信する受信手段を更に備え、
前記制御手段は、前記受信手段により受信した動作に関する情報を前記電気機器と同種の機能に設定することにより当該電気製品の動作を引き継ぐ制御を行う、
ようにしたことを特徴とする請求項１に記載の携帯端末装置。
【請求項３】
前記判別手段は、前記取得手段により取得した電力量が所定の閾値を越えた後に、電力量がその閾値よりも下回ったか否かを更に判別し、
前記制御手段は、前記電気製品に対して電力抑制を解除する信号を送信するほか、その電気製品から引き継いだ動作に関する情報を当該電気製品に送信して復帰させる制御を行う、
ようにしたことを特徴とする請求項２に記載の携帯端末装置。
【請求項４】
前記受信手段は、前記電気製品が待機中状態の場合にその揮発メモリに格納されている情報を動作に関する情報として受信し、
前記制御手段は、前記受信手段により受信した動作に関する情報を前記電気機器と同種の機能に待機中情報として設定する、
ようにしたことを特徴とする請求項２に記載の携帯端末装置。
【請求項５】
前記制御手段は、前記電気製品に送信する電力抑制信号として、当該電気機器の主電源を停止させる電源オフ信号を送信する、
ようにしたことを特徴とする請求項１〜４のいずれかに記載の携帯端末装置。
【請求項６】
電気製品と、この電気製品と同種の機能を備えた携帯端末装置とを有する携帯端末通信システムであって、
電力消費者側で消費している電力量、電力事業者側が供給している電力量のうち、少なくともそのいずれかの電力量を取得する取得手段と、
前記取得手段により取得した電力量が所定の閾値を越えたか否かを判別する判別手段と、
前記判別手段により電力量が所定の閾値を越えたと判別された場合に、前記電気製品に対してその電力使用を抑制するほか、前記電気機器と同種の機能を起動する制御を行う制御手段と、
を具備したことを特徴とする携帯端末通信システム。
【請求項７】
コンピュータに対して、
電力消費者側で消費している電力量、電力事業者側が供給している電力量のうち、少なくともそのいずれかの電力量を取得する手段と、
前記取得した電力量が所定の閾値を越えたか否かを判別する手段と、
前記電力量が所定の閾値を越えたと判別された場合に、前記電気製品に対してその電力使用を抑制する電力抑制信号を送信するほか、前記電気機器と同種の機能を起動する制御を行う手段と、
を実現させるためのプログラム。
【発明の詳細な説明】
【技術分野】
【０００１】
本発明は、電気製品と同種の機能を備えた携帯端末装置及び携帯端末通信システム並びにプログラムに関する。
【背景技術】
【０００２】
近年、携帯電話機（携帯端末装置）には電話機としての本来の通話機能以外にも、例えば、テレビ放送受信機能、音楽／動画再生機能などのように電力消費が比較的多い重負荷な機能が搭載されている。一方、昨今、地球温暖化の原因となる温室効果ガス（ＣＯ２）の排出量を減らしたり、震災などによる電力供給不足を回避したりするためにも商用電力使用量の削減が要望されている。そして、従来では、このような要望に応える技術として、例えば、商用電力を供給する電力事業者側において、供給電力（消費電力）が制限要請の電力量を越えた際に、家庭などの電力消費者側の携帯電話機に電子メールを送信して電力使用の制限要請を通知するようにし、携帯電話機は、この電力使用の制限要請を受信した際に、電気製品（エアコン、テレビ）に対してリモコン信号を送出して、その電気製品の電源を“オフ（ＯＦＦ）”するようにした技術が開発されている（特許文献１参照）。
【先行技術文献】
【特許文献】
【０００３】
【特許文献１】特開２００９−１８８８７７号公報
【発明の概要】
【発明が解決しようとする課題】
【０００４】
しかしながら、上述した特許文献１の技術にあっては、現在の供給電力（消費電力）が制限要請の電力量を越えた際に、携帯電話機を介して電気製品（エアコン、テレビ）の電源を強制的にオフするようにしているために、突発的な停電と同様な状態となってしまう。その結果、例えば、テレビ視聴中に電力使用がオーバーしたような場合には、テレビ視聴が突然中断してしまい、名場面などを見逃してしまうおそれがあった。
【０００５】
本発明の課題は、電気製品と同種の機能を備えた携帯端末装置を使用して、電気製品から携帯端末装置への機能の引き継ぎを特別な操作を行うことなく容易に実現できるようにすることである。
【課題を解決するための手段】
【０００６】
上述した課題を解決するために本発明の一つの態様は、
電気製品と同種の機能を備えた携帯端末装置であって、
電力消費者側で消費している電力量、電力事業者側が供給している電力量のうち、少なくともそのいずれかの電力量を取得する取得手段と、
前記取得手段により取得した電力量が所定の閾値を越えたか否かを判別する判別手段と、
前記判別手段により電力量が所定の閾値を越えたと判別された場合に、前記電気製品に対してその電力使用を抑制する電力抑制信号を送信するほか、前記電気機器と同種の機能を起動する制御を行う制御手段と、
を具備したことを特徴とする携帯端末装置である。
【０００７】
上述した課題を解決するために本発明の他の態様は、
電気製品と、この電気製品と同種の機能を備えた携帯端末装置とを有する携帯端末通信システムであって、
電力消費者側で消費している電力量、電力事業者側が供給している電力量のうち、少なくともそのいずれかの電力量を取得する取得手段と、
前記取得手段により取得した電力量が所定の閾値を越えたか否かを判別する判別手段と、
前記判別手段により電力量が所定の閾値を越えたと判別された場合に、前記電気製品に対してその電力使用を抑制するほか、前記電気機器と同種の機能を起動する制御を行う制御手段と、
を具備したことを特徴とする携帯端末通信システムである。
【０００８】
更に、上述した課題を解決するために本発明の他の態様は、
コンピュータに対して、
電力消費者側で消費している電力量、電力事業者側が供給している電力量のうち、少なくともそのいずれかの電力量を取得する手段と、
前記取得した電力量が所定の閾値を越えたか否かを判別する手段と、
前記電力量が所定の閾値を越えたと判別された場合に、前記電気製品に対してその電力使用を抑制する電力抑制信号を送信するほか、前記電気機器と同種の機能を起動する制御を行う手段と、
を実現させるためのプログラムである。
【発明の効果】
【０００９】
本発明によれば、電気製品と同種の機能を備えた携帯端末装置を使用して、電気製品から携帯端末装置への機能の引き継ぎを特別な操作を行うことなく容易に実現することができ、電力使用の抑制効果と利便性に富んだものとなる。
【図面の簡単な説明】
【００１０】
【図１】携帯端末装置として適用した携帯電話機が利用可能な通信システム（携帯端末通信システム）の概要を示したブロック図。
【図２】携帯電話機１の基本的な構成要素を示したブロック図。
【図３】電力事業者（供給者）側のサーバ装置６及び電力消費者側のサーバ装置７から電力量を取得するタイミング毎に実行開始される動作を示したフローチャート。
【図４】図３の動作に続くフローチャート。
【図５】本発明の機能を説明するための機能ブロック図。
【発明を実施するための形態】
【００１１】
以下、本発明の実施の形態について、図１〜図４を参照して詳細に説明する。
図１は、携帯端末装置として適用した携帯電話機が利用可能な通信システム（携帯端末通信システム）の概要を示したブロック図である。
この携帯端末通信システムは、電気製品（家電製品）と、この電気製品と同種の機能を備えた携帯電話機とを有する通信システムで、この携帯電話機１は、音声通話機能、電子メール機能、インターネット接続機能（Ｗｅｂアクセス機能）、テレビ機能、リモコン機能、無線ＬＡＮ（Local Area Network）通信機能などが備えられている。
【００１２】
テレビ機能は、デジタルテレビ放送を受信する機能であり、リモコン機能は、家庭内の電気機器（本実施形態ではテレビ受像機）を、近距離通信を介してリモートコントロールする機能である。携帯電話機１は、最寄りの基地局２を介して無線通信網３に接続されると、この無線通信網３を介して他の携帯電話機（図示省略）との間で通話や電子メールの送受信が可能な状態となり、また、無線通信網３を介してインターネット４に接続されると、電子メールの送受信やＷｅｂページの閲覧が可能となる。
【００１３】
携帯電話機１は、上述のテレビ機能の動作時に、テレビ局５から発信される地上波デジタル放送を受信することによりその放送番組を視聴可能な状態となっている。なお、携帯電話機１は、無線通信網３、インターネット４を介して画像配信装置（図示省略）からデジタル放送をダウンロード受信することによりテレビ放送を視聴可能な状態とするようにしてもよい。更に、携帯電話機１は、無線通信網３及びインターネット４を介して電力事業者（供給者）側のサーバ装置６に接続されている。電力事業者側のサーバ装置６は、電力事業者側が供給している商用電力として地域別の現在の総電力量を管理するもので、携帯電話機１は、定期的（例えば、１分間隔や５分間隔毎）に電力事業者側のサーバ装置６をアクセスすることにより、このサーバ装置６から自宅が属する地域の総電力量を受信取得するようにしている。
【００１４】
また、携帯電話機１は、家庭内の無線ＬＡＮシステムを構築する電力消費者（ユーザ）側のサーバ装置７に通信接続されている。この電力消費者側のサーバ装置７には、家庭用電気メータ８が接続されていると共に、無線用のアクセスポイント９が接続されており、携帯電話機１は、定期的（例えば、１分間隔や５分間隔毎）に電力消費者側のサーバ装置７をアクセスすることにより、このサーバ装置７から家庭用電気メータ８で計測された現在の総電力量を、アクセスポイント９を介して受信取得するようにしている。
【００１５】
ここで、携帯電話機１は、電力事業者側のサーバ装置６から受信取得した総電力量、電力消費者側のサーバ装置７から受信取得した総電力量のうち、そのいずれかの総電力量が対応する所定の閾値を越えたか否かを定期的にモニタリングするようにしている。この場合、電力事業者側のサーバ装置６から取得した電力量と比較される閾値は、商用電力の集中使用によって地域停電などが起き得る危険性のある電力量間際の値で、例えば、電力事業者による最大供給電力量に対してその９０％の値などである。また、電力消費者側のサーバ装置７から取得した電力量と比較される閾値は、予めユーザ操作により任意に設定されたもので、家庭内での過去の電力使用状況などを考慮して真夏時や真冬時での最大消費電力量に対してその９５％の値などであるが、その値は、ユーザの節電への意識レベルなどにより任意である。更に、電力量と閾値とを比較する場合に、電力量の瞬時値が閾値を越えたかを調べたり、所定期間（例えば、１週間、１ヶ月など）のように電力量の累計値が閾値を超えたかを調べたりするようにしてもよく、その比較の方法は任意である。
【００１６】
携帯電話機１は、電力事業者側のサーバ装置６、電力消費者側のサーバ装置７をアクセスしてそのいずれからの電力量が、対応する閾値を越えたことを検出した際に、電気製品（テレビ受像機）１０に対してその電力使用を抑制する電力抑制信号としてその主電源を切断させる電源オフ（ＯＦＦ）信号を、リモコン機能を介して送信すると共に、この電気製品１０と同種の機能（テレビ機能）をオン（ＯＮ）させて自動起動させるようにしている。つまり、携帯電話機１は、モニタリング対象の電力量が対応する閾値を越えた際に、電気製品（テレビ受像機）１０から携帯電話機１のテレビ機能への引き継ぎを行うようにしている。
【００１７】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２などが設けられている。なお、記憶部１３は、例えば、ＳＤカード、ＩＣカードなど、着脱自在な可搬型メモリ（記録メディア）を含む構成であってもよく、図示しない所定の外部サーバ上にあってもよい。プログラム記憶部Ｍ１は、図３及び図４に示した動作手順に応じて本実施形態を実現するためのプログラムや各種のアプリケーションなどが格納されているほか、それに必要とする情報などが記憶されている。各種情報一時記憶部Ｍ２は、フラグ情報、タイマ情報、画面情報など、携帯電話機１が動作するために必要な各種の情報を一時的に記憶するワーク領域である。
【００１８】
無線通信部１４は、無線部、ベースバンド部、多重分離部などを備え、例えば、通話機能、電子メール機能、インターネット接続機能などの動作時に、最寄りの基地局２との間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＴ１から発信出力させる。
【００１９】
表示部１６は、例えば、高精細液晶や有機ＥＬ（Electro Luminescence）などを使用したもので、例えば、待受画像、アイコン、日時情報のほか、テキストデータ、メール、Ｗｅｂページ、テレビ放送番組などを表示するもので、テレビ機能の使用時にはテレビ映像を表示するテレビ画面となる。操作部１７は、ダイヤル入力、文字入力、コマンド入力などを入力するもので、中央制御部１１は、この操作部１７からの入力操作信号に応じた処理を実行する。例えば、電源オンオフ操作に応じて電源オン／オフ処理を行ったり、テレビ機能のオン／オフを制御したりする。
【００２０】
テレビ受信部１８は、地上波デジタルテレビ放送と共に、電子番組表（ＥＰＧ）などの番組情報も含めて受信可能なもので、アンテナＡＴ２から放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。リモコン通信部１９は、上述したように電気製品（テレビ受像機）１０をリモートコントロールするリモコン機能を構成するもので、このリモコン通信部１９とテレビ受像機１０との間では、赤外線通信あるいはBluetooth（登録商標）通信などを使用した近距離通信が可能となっているが、本実施形態では、Bluetooth（登録商標）通信のリモコン機能を使用するようにしている。
【００２１】
リモコン通信部１９とテレビ受像機１０との間では、アンテナＡＴ３を介して双方向に近距離通信が可能となっており、携帯電話機１は、テレビ受像機１０に対して上述の電源オフ信号（リモコン信号）をリモコン通信部１９から送信するに先立って、テレビ受像機１０から現在の選局情報（チャンネル情報）を、リモコン通信部１９を介して受信取得して、テレビ受信部１８に設定するようにしている。これによってテレビ受像機１０で視聴していたテレビ番組がそのまま携帯電話機１のテレビ機能に引き継がれるようになる。また、ＬＡＮ通信部２０は、家庭内の無線ＬＡＮシステムを構築する無線ＬＡＮ用の通信インターフェイスであり、アンテナＡＴ４を介して信号の送受信を行う。
【００２２】
次に、本実施形態における携帯電話機１の動作概念を図３及び図４に示すフローチャートを参照して説明する。ここで、このフローチャートに記述されている各機能は、読み取り可能なプログラムコードの形態で格納されており、このプログラムコードにしたがった動作が逐次実行される。
図３及び図４は、電力事業者側のサーバ装置６及び電力消費者側のサーバ装置７から電力量を取得するタイミング毎に実行開始される動作を示したフローチャートである。なお、各サーバ装置から電力量を定期的に取得するための時間間隔は、例えば、５分間隔、１分間隔などのようにユーザ操作によって予め任意に設定されたもので、その設定時間が経過する毎に図３及び図４のフローが実行開始される。
【００２３】
先ず、携帯電話機１の中央制御部１１は、引き継ぎフラグ（図示省略）を参照して、その引き継ぎフラグは“オフ”されているかを調べる（ステップＳ１）。ここで、引き継ぎフラグは、テレビ受像機１０により視聴中のテレビ放送番組をそのまま携帯電話機１のテレビ機能に引き継いでいる状態であることを示すフラグである。いま、引き継ぎフラグが“オン”されている場合、つまり、テレビ受像機１０から携帯電話機１への引き継ぎが行われている場合には（ステップＳ１でＮＯ）、図４のステップＳ１４に移る。
【００２４】
また、引き継ぎフラグが“オフ”されている場合、つまり、テレビ受像機１０から携帯電話機１への引き継ぎが行われていない場合には（ステップＳ１でＹＥＳ）、電力事業者側のサーバ装置６をアクセスすることにより、そのサーバ装置６から自宅が属する地域の電力量を受信取得し（ステップＳ２）、その電力量が所定の閾値Ａ１を越えているかを調べる（ステップＳ３）。なお、地域の電力量と比較される閾値Ａ１は、上述したように例えば、電力事業者による地域別の最大供給電力量に対してその９０％の電力量などである。
【００２５】
ここで、電力事業者側のサーバ装置６から取得した電力量が所定の閾値Ａ１を越えていなければ（ステップＳ３でＮＯ）、電力消費者側のサーバ装置７をアクセスすることにより、そのサーバ装置７から家庭用電気メータ８で計測されている電力量を、アクセスポイント９を介して受信取得し（ステップＳ４）、その電力量が所定の閾値Ｂ１を越えているかを調べる（ステップＳ５）。なお、家庭の電力使用量と比較される閾値Ｂ１は、上述したように例えば、家庭内での過去の電力使用状況などを考慮して、真夏時や真冬時での最大消費電力量に対してその９５％の電力量などである。
【００２６】
いま、電力事業者側のサーバ装置６、電力消費者側のサーバ装置７から取得した電力量のうち、そのいずれかの電力量がその閾値Ａ１又は閾値Ｂ１を越えている場合には（ステップＳ３でＹＥＳあるいはステップＳ５でＹＥＳ）、テレビ受像機１０から携帯電話機１への引き継ぎ処理に移る（ステップＳ６〜Ｓ１１）。先ず、携帯電話機１は、テレビ受像機１０から現在の動作に関する情報として選局情報（チャンネル情報）を受信取得する（ステップＳ６）。そして、テレビ受像機１０と同種の機能（テレビ機能）であるテレビ受信部１８をオンして起動させた後（ステップＳ７）、受信取得した選局情報をテレビ受信部１８に設定することによりチャンネル切り換えを行う（ステップＳ８）。これによってテレビ受像機１０で視聴中の番組内容がそのまま携帯電話機１に引き継がれることになる。
【００２７】
そして、テレビ受像機１０から携帯電話機１への引き継ぎを行う旨のメッセージを端末画面（テレビ画面）の所定位置、例えば、片隅部に表示させる（ステップＳ９）。そして、テレビ受像機１０に対してその電力使用を抑制するためにその主電源をオフさせる電源オフ信号（リモコン信号）をリモコン通信部１９から送信する（ステップＳ１０）。なお、図示省略したが、テレビ受像機１０で視聴中の番組内容をそのまま携帯電話機１に引き継いでからテレビ受像機１０の主電源をオフするまでの間に、引き継ぎ準備時間（例えば、３秒間）を設定しておき、この引き継ぎ準備時間が経過した際に、テレビ受像機１０の主電源をオフするようにしてもよい。これによって引き継ぎが完了すると、上述した引き継ぎフラグを“オン”させた後（ステップＳ１１）、図３及び図４のフローから抜ける。
【００２８】
このようにしてテレビ受像機１０から携帯電話機１への引き継ぎが行われた状態においては、電力取得タイミングに達して図３のフローが開始されると、引き継ぎフラグは“オン”されているので、図４のフローに移り、携帯電話機１は、電力事業者側のサーバ装置６をアクセスすることにより、そのサーバ装置６から自宅が属する地域の電力量を受信取得し（ステップＳ１２）、その電力量が所定の閾値Ａ２未満であるかを調べる（ステップＳ１３）。ここで、地域の電力量と比較される閾値Ａ２は、電力事業者による最大供給電力量に対してその８０％以下の値などのように下回った場合、つまり、地域停電などが起きる危険性が解消された場合の電力量であり、上述した閾値Ａ１との関係は、Ａ１＞Ａ２となっている。いま、地域の電力量が所定の閾値Ａ２以上のままであれば（ステップＳ１３でＮＯ）、上述の引き継ぎ状態を継続するために、図３及び図４のフローから抜ける。
【００２９】
いま、地域の電力量が所定の閾値Ａ２未満まで下がった場合には（ステップＳ１３でＹＥＳ）、電力消費者側のサーバ装置７をアクセスすることにより、そのサーバ装置７から家庭用電気メータ８で計測された電力量を、アクセスポイント９を介して受信取得し（ステップＳ１４）、その電力量が所定の閾値Ｂ２未満であるかを調べる（ステップＳ１５）。ここで、家庭の電力量と比較される閾値Ｂ２は、家庭内での過去の電力使用状況などを考慮して、真夏時や真冬時での最大消費電力量に対してその８５％の電力量などのように家庭内の電力使用量が下回った場合の電力量であり、上述した閾値Ｂ１との関係は、Ｂ１＞Ｂ２となっている。いま、家庭内の電力量が所定の閾値Ｂ２以上のままであれば（ステップＳ１５でＮＯ）、上述の引き継ぎ状態を継続するために、図３及び図４のフローから抜けるが、家庭内の電力量が所定の閾値Ｂ２未満まで下がった場合には（ステップＳ１５でＹＥＳ）、上述の引き継ぎ状態を解除して元の状態に復帰させる処理に移る（ステップＳ１６〜Ｓ２０）。
【００３０】
すなわち、地域の電力量が所定の閾値Ａ２未満まで下回り（ステップＳ１３でＹＥＳ）、かつ家庭内の電力量が所定の閾値Ｂ２未満まで下回った場合には（ステップＳ１５でＹＥＳ）、テレビ受像機１０に対してその電力使用の抑制を解除する電力抑制解除信号として、その電源オン信号（リモコン信号）をリモコン通信部１９から送信すると共に（ステップＳ１６）、テレビ受信部１８に設定されている選局情報をリモコン通信部１９から送信する（ステップＳ１７）。これによってテレビ受像機１０側では主電源のオンと共に、受信した選局情報に基づいてチャンネル切り換えを行う。その後、携帯電話機１側のテレビ受信部１８をオフしてその動作を停止する（ステップＳ１８）。
【００３１】
なお、図示省略したが、テレビ受像機１０をオンしてから携帯電話機１側のテレビ受信部１８をオフするまでの間に、引き継ぎ解除時間（例えば、３秒間）を設定しておき、この引き継ぎ解除時間が経過した際に、携帯電話機１側のテレビ受信部１８をオフするようにしてもよい。これによって引き継ぎ解除が完了すると、上述の引き継ぎメッセージ表示を消去すると共に（ステップＳ１９）、上述の引き継ぎフラグを“オフ”させる（ステップＳ２０）。その後、図３及び図４のフローから抜ける。
【００３２】
以上のように本実施形態において携帯電話機１は、電気製品（テレビ受像機）１０と同種の機能（テレビ機能）を備え、電力消費者側で消費している電力量、電力事業者側が供給している電力量のいずれかの電力量が所定の閾値を越えた場合に、テレビ受像機１０に対してその電力使用を抑制する電力抑制信号（電源オフ信号）を送信すると共に、電気製品１０と同種の機能（テレビ機能）を起動するようにしたので、テレビ受像機１０と同種の機能を備えた携帯電話機１を使用して、テレビ受像機１０から携帯電話機１への機能の引き継ぎを特別な操作を行うことなく容易に実現することができ、電力使用の抑制効果と共に利便性に富んだものとなる。この場合、テレビ受像機１０よりも消費電力の少ない携帯電話機１を利用し、かつ充電した電力を使用するために商用電力の大幅な削減が可能となる。
【００３３】
携帯電話機１は、取得した電力量が所定の閾値を越えた場合に、テレビ受像機１０が現在実行中の動作に関する情報として選局情報を受信取得して携帯電話機１のテレビ機能に設定するようにしたので、テレビ受像機１０の動作をそのまま引き継ぐことが可能となり、ユーザにあっては、テレビ受像機１０で視聴中の番組内容をそのまま携帯電話機１で視聴することができる。
【００３４】
携帯電話機１は、取得した電力量が所定の閾値を越えた後にその閾値よりも下回った場合に、テレビ受像機１０に対してその電力使用の抑制を解除する電力抑制解除信号として電源オン信号を送信するようにしたので、特別な操作を行うことなく、機能の引き継ぎ状態から元の状態に復帰させることができる。
【００３５】
携帯電話機１は、取得した電力量が所定の閾値を越えた後にその閾値よりも下回った場合に、テレビ受像機１０から引き継いだ動作に関する情報として選局情報を元のテレビ受像機１０に送信して復帰させるようにしたので、特別な操作を行うことなく、機能の引き継ぎ状態から元の状態に復帰させることができる。
【００３６】
携帯電話機１側で、電力事業者側のサーバ装置６、電力消費者側のサーバ装置７をアクセスして電力消費者側で消費している電力量や電力事業者側が供給している電力量を受信取得し、そのいずれかの電力量が所定の閾値を越えたか否かを判別するようにしたので、携帯電話機１の主導の下、商用電力の使用を抑制することが可能となる。
【００３７】
なお、上述した実施形態において携帯電話機１は、取得した電力量が所定の閾値を越えた場合に、テレビ受像機１０が現在実行中の動作に関する情報として選局情報を受信取得して携帯電話機１のテレビ機能に設定するようにしたが、テレビ受像機１０が待機中状態の場合にその揮発メモリに格納されている情報（例えば、録画予約情報など）を動作に関する情報として受信取得するようにしてもよい。この場合、携帯電話機１は、テレビ受像機１０から受信取得した録画予約情報などをテレビ機能（テレビ受信部１８）にスタンバイ情報（待機中情報）として設定するようにすれば、テレビ受像機１０の主電源を停止させることができ、待機電力の消費を抑えることが可能となる。この場合、携帯電話機１は、テレビ受像機１０から録画予約情報などを取得した後、テレビ受像機１０の主電源を停止させる電源オフ信号を電力抑制信号（リモコン信号）としてテレビ受像機１０に送信するようにすればよい。
【００３８】
また、上述した実施形態においては、電力消費者側で消費している電力量や電力事業者側が供給している電力量のいずれか一方が所定の閾値を越えた場合に、電気製品１０の電力使用を抑制するようにしたが、その両方の電力量が所定の閾値をそれぞれ越えた場合に、テレビ受像機１０の電力使用を抑制するようにしてもよい。
【００３９】
また、上述した実施形態においては、電力消費者側で消費している電力量及び電力事業者側が供給している電力量が所定の閾値をそれぞれ下回った場合に、テレビ受像機１０に対する電力使用の抑制を解除するようにしたが、そのいずれか一方が所定の閾値を下回った場合に、電力使用の抑制を解除するようにしてもよい。
【００４０】
また、上述した実施形態においては、テレビ受像機１０の電力使用を抑制する電力抑制信号として電源オフ信号を送信するようにしたが、例えば、画面の明るさを下げる明るさ制限信号や音量を下げる音量制限信号を送信するようにしてもよい。
【００４１】
また、上述した実施形態においては、電気製品としてテレビ受像機１０を例示した場合を示したが、パーソナルコンピュータ、音楽プレイヤー、ＤＶＤ／ブルーレイレコーダなどのＡＶ機器であってもよい。また、電気製品と同種の機能としては、ブラウザ・文書作成機能、音楽／動画再生機能を搭載した携帯電話機１であってもよい。この場合、携帯電話機１は、電気製品の動作に関する情報として、閲覧中のＵＲＬ、作成／編集中の文書ファイル、再生中の音楽／動画ファイル、録画予約の情報をその電気製品から受信取得して引き継ぐようにしてもよい。また、電気製品としては固定電話機であってもよい。この場合、電気製品の動作に関する情報として、固定電話機から携帯電話機１に着信情報を転送するようにしてもよい。これによって固定電話機の使用を携帯電話機１に代替えすることができる。
【００４２】
また、上述した実施形態においては、商用電力を電源として駆動する電気機器を例示したが、太陽光発電などによる独立電力を電源として駆動する電気機器であっても同様に適用可能である。
【００４３】
また、上述した実施形態においては、携帯電話機１の単体に適用した場合を例示したが、電気製品（テレビ受像機）１０と、このテレビ受像機１０と同種の機能（テレビ機能）を備えた携帯電話機１とを有する携帯端末通信システムにおいて、上述した図３及び図４のフローと基本的に同様の動作を電力消費者側のサーバ装置７で実行するようにすればよい。すなわち、電力消費者側のサーバ装置７は、電力消費者側で消費している電力量や電力事業者側が供給している電力量を受信取得し、そのいずれかの電力量が所定の閾値を越えたか否かを判別し、そのいずれかの電力量が所定の閾値を越えた場合に、テレビ受像機１０に対してその電力使用を抑制する電力抑制信号（電源オフ信号）を送信すると共に、テレビ受像機１０と同種の機能（テレビ機能）を起動させるようにしてもよい。これによってテレビ受像機１０と同種の機能を備えた携帯電話機１を使用して、テレビ受像機１０から携帯電話機１への機能の引き継ぎを特別な操作を行うことなく実現することができる。
【００４４】
また、上述した携帯端末通信システムにおいては、電力消費者側のサーバ装置７が電力量を取得して所定の閾値を越えたか否かを判別するようにしたが、上述の実施形態と同様に、その電力量の取得と判別を携帯電話機１側で行うようにしてもよい。更に、電気製品（テレビ受像機）１０側でその電力量の取得と判別を行うようにしてよい。この場合、電気製品（テレビ受像機）１０は、電力消費者側で消費している電力量や電力事業者側が供給している電力量を受信取得し、そのいずれかの電力量が所定の閾値を越えたか否かを判別し、そのいずれかの電力量が所定の閾値を越えた場合に、自己の電力使用を抑制し、テレビ受像機１０と同種の機能（テレビ機能）を起動させるようにすればよい。
【００４５】
また、上述した携帯端末通信システムとしては、ホーム・エネルギー・マネージメント・システム（ＨＥＭＳ）、ビル・エネルギー・マネージメント・システム（ＢＥＭＳ）などのシステムに利用するようにしてもよい。
【００４６】
上述した実施形態においては、携帯端末装置として携帯電話機に適用した場合を示したが、デジタルカメラ（コンパクトカメラ）、ＰＤＡ、音楽プレイヤーなどであってもよい。
【００４７】
その他、上述した実施形態において示した“機”や“部”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【００４８】
以上、本発明の実施形態について説明したが、本発明は、これに限定されるものではなく、特許請求の範囲に記載された発明とその均等の範囲を含むものである。
また、上記の実施形態の一部又は全部は、以下の付記のように記載され得るが、以下には限らない。
【００４９】
（付記１）
図５は、付記１の構成図である。この図に示すように、付記１記載の発明は、
電気製品１０１（図１ではテレビ受信機１０）と同種の機能を備えた携帯端末装置１０２（図１では携帯電話機１）であって、
電力消費者側で消費している電力量、電力事業者側が供給している電力量のうち、少なくともそのいずれかの電力量を取得する取得手段１０３（図２では携帯電話機１の中央制御部１１、記憶部１３、リモコン通信部１９）と、
前記取得手段により取得した電力量が所定の閾値を越えたか否かを判別する判別手段１０４（図２では携帯電話機１の中央制御部１１、記憶部１３）と、
前記判別手段により電力量が所定の閾値を越えたと判別された場合に、前記電気製品に対してその電力使用を抑制する電力抑制信号を送信するほか、前記電気機器と同種の機能を起動する制御を行う制御手段１０５（図２では携帯電話機１の中央制御部１１、記憶部１３、テレビ受信部１８、リモコン通信部１９）と、
を具備したことを特徴とする携帯端末装置。
【００５０】
（付記２）
前記判別手段により電力量が所定の閾値を越えたと判別された場合に、前記電気製品が現在実行中の動作に関する情報を受信する受信手段を更に備え、
前記制御手段は、前記受信手段により受信した動作に関する情報を前記電気機器と同種の機能に設定することにより当該電気製品の動作を引き継ぐ制御を行う、
ようにしたことを特徴とする請求項１に記載の携帯端末装置。
【００５１】
（付記３）
前記判別手段は、前記取得手段により取得した電力量が所定の閾値を越えた後に、電力量がその閾値よりも下回ったか否かを更に判別し、
前記制御手段は、前記電気製品に対して電力抑制を解除する信号を送信するほか、その電気製品から引き継いだ動作に関する情報を当該電気製品に送信して復帰させる制御を行う、
ようにしたことを特徴とする請求項２に記載の携帯端末装置。
【００５２】
（付記４）
前記受信手段は、前記電気製品が待機中状態の場合にその揮発メモリに格納されている情報を動作に関する情報として受信し、
前記制御手段は、前記受信手段により受信した動作に関する情報を前記電気機器と同種の機能に待機中情報として設定する、
ようにしたことを特徴とする請求項２に記載の携帯端末装置。
【００５３】
（付記５）
前記制御手段は、前記電気製品に送信する電力抑制信号として、当該電気機器の主電源を停止させる電源オフ信号を送信する、
ようにしたことを特徴とする請求項１〜４のいずれかに記載の携帯端末装置。
【００５４】
（付記６）
電気製品と、この電気製品と同種の機能を備えた携帯端末装置とを有する携帯端末通信システムであって、
電力消費者側で消費している電力量、電力事業者側が供給している電力量のうち、少なくともそのいずれかの電力量を取得する取得手段と、
前記取得手段により取得した電力量が所定の閾値を越えたか否かを判別する判別手段と、
前記判別手段により電力量が所定の閾値を越えたと判別された場合に、前記電気製品に対してその電力使用を抑制するほか、前記電気機器と同種の機能を起動する制御を行う制御手段と、
を具備したことを特徴とする携帯端末通信システム。
【００５５】
（付記７）
コンピュータに対して、
電力消費者側で消費している電力量、電力事業者側が供給している電力量のうち、少なくともそのいずれかの電力量を取得する手段と、
前記取得した電力量が所定の閾値を越えたか否かを判別する手段と、
前記電力量が所定の閾値を越えたと判別された場合に、前記電気製品に対してその電力使用を抑制する電力抑制信号を送信するほか、前記電気機器と同種の機能を起動する制御を行う手段と、
を実現させるためのプログラム。
【符号の説明】
【００５６】
１  携帯電話機
３  無線通信網
４  インターネット
６  電力事業者側のサーバ装置
７  電力消費者側のサーバ装置
８  家庭用電気メータ
１０  電気製品（テレビ受像機）
１１  中央制御部
１３  記憶部
１６  表示部
１７  操作部
１８  テレビ受信部
１９  リモコン通信部
２０  ＬＡＮ通信部
【図１】
2013058822.tif 000003
【図２】
2013058822.tif 000004
【図３】
2013058822.tif 000005
【図４】
2013058822.tif 000006
【図５】
2013058822.tif 000007